(57)【要約】      （修正有）【課題】発信電話番号通知サービスを悪用し、発呼者が通信費用を負担することなく、営業目的で電話番号を被呼者に通知するために、被呼者が電話を取る前に呼出しを中断するいわゆるワンギリの被害に遭い難い電話機を提供する。【解決手段】記憶部１０８と、着呼に伴い発呼者の電話番号を取得する送受信部１０２と、前記着呼に際し、呼出の開始から呼出が中止されるまでの時間を検出するカウント部１０５と、当該時間が所定時間未満である場合、取得した前記電話番号を次回より呼の接続を拒否する拒否電話番号として記憶部１０８に格納するよう、一般制御部１０３に指示するワンギリ判定部１０７とを備える電話機。【選択図】図２
2006345559.tif 000002
【特許請求の範囲】
【請求項１】
記録媒体と、
着呼に伴い発呼者の電話番号を取得する取得手段と、
取得した電話番号を呼の接続を拒否する拒否電話番号として登録する拒否電話番号登録手段と、
前記着呼に際し、呼出の開始から呼出が中止されるまでの時間を検出する時間検出手段と、
取得した電話番号が前記拒否電話番として登録されているか否かを判断する判断手段と、
前記検出された前記時間と取得された前記電話番号との組を着信履歴として前記記憶媒体に格納する格納手段とを備え
前記格納手段は、前記格納に先行して、前記組のうち前記登録がされている電話番号が含まれる組を前記格納の対象から除外することを特徴とする電話機。
【請求項２】
記憶手段と、
着呼に伴い発呼者の電話番号を取得する取得手段と、
前記着呼に際し、呼び出しの開始から呼び出しが中止されるまでの時間を検出する時間検出手段と、
前記着呼に際して検出した前記時間が、所定時間未満である場合にはその旨を示す第１の情報を、所定時間以上の場合にはその旨を示す第２の情報を、前記着呼の際に取得した電話番号に関連付けて前記記憶手段に記録する記録手段とを備え、
前記第１の情報及び前記第２の情報は、検出された前記時間よりもデータ量が少ないことを特徴とする電話機。
【請求項３】
前記第１の情報及び前記第２の情報は、１ビットのフラグの値からなることを特徴とする請求項２に記載の電話機。
【請求項４】
記録媒体と、
着呼に伴い発呼者の電話番号を取得する取得手段と、
前記着呼に際し、呼出の開始から呼出が中止されるまでの時間が所定時間未満か否かを判断する判断手段と、
前記時間が所定時間未満であると判断された場合、取得した前記電話番号を次回より呼の接続を拒否する拒否電話番号として登録する拒否電話番号登録手段と、
前記着呼に際し、呼出の開始から呼出が中止されるまでの時間を検出する時間検出手段と、
前記着呼に伴い、取得した電話番号が前記拒否電話番として登録されているか否かを判断し、前記登録がされていないとき、検出された前記時間と取得された前記電話番号との組を着信履歴として前記記憶媒体に格納する格納手段と
を備えることを特徴とする電話機。
【請求項５】
記録媒体と、
着呼に伴い発呼者の電話番号を取得する取得手段と、
前記着呼に際し、呼び出しの開始から呼び出しが中止されるまでの時間を検出する時間検出手段と、
前記着呼に際し、呼出の開始から呼出が中止されるまでの時間が所定時間未満か否かを判断する判断手段と、
前記時間が所定時間未満であると判断された場合、取得した前記電話番号を次回より呼の接続を拒否する拒否電話番号として登録すると共に、前記時間が所定時間未満である旨を示す第１の情報を前記着呼の際に取得した電話番号に関連付けて前記記憶手段に格納し、前記時間が所定時間以上であると判断された場合にはその旨を示す第２の情報を、前記着呼の際に取得した電話番号に関連付けて前記記憶手段に格納する第２格納手段と
を備えることを特徴とする電話機。
【請求項６】
記録媒体と、
着呼に伴い発呼者の電話番号を取得する取得手段と、
取得した電話番号を呼の接続を拒否する拒否電話番号として登録する拒否電話番号登録手段と、
前記着呼に際し、呼出の開始から呼出が中止されるまでの時間を検出する時間検出手段と、
前記着呼に伴い、取得した電話番号が前記拒否電話番として登録されているか否かを判断し、前記登録がされていないとき、検出された前記時間と取得された前記電話番号との組を着信履歴として前記記憶媒体に格納する格納手段と
を備えることを特徴とする電話機。
【請求項７】
記憶手段と、
着呼に伴い発呼者の電話番号を取得する取得手段と、
前記着呼に際し、呼び出しの開始から呼び出しが中止されるまでの時間を検出する時間検出手段と、
前記着呼に際して検出した前記時間が、所定時間未満である場合にはその旨を示す第１の情報を、所定時間以上の場合にはその旨を示す第２の情報を、前記着呼の際に取得した電話番号に関連付けて前記記憶手段に記録する記録手段と
を備える電話機。
【請求項８】
前記第１の情報及び前記第２の情報は、１ビットのフラグの値からなることを特徴とする請求項７に記載の電話機。
【発明の詳細な説明】
【技術分野】
【０００１】
本発明は、情報を記憶する機能を有する電話機に関する。
【背景技術】
【０００２】
近年、着呼の際に発信側の電話番号が受信側に通知されるいわゆる発信電話番号通知サービスを提供する機能を有する一般回線電話機、携帯電話及びＰＨＳなどの通信機器が普及している（例えば、特許文献１）。
以下、便宜上、このような通信機器を単に電話機ということとする。
この電話機を有するユーザは、電話を取る前に呼出しが中断された場合であっても相手側の電話番号が着信履歴として表示されるため、相手にかけ直すことができ、便利である。
【特許文献１】特開平９−１６２９５６号公報
【発明の開示】
【発明が解決しようとする課題】
【０００３】
しかしながら、最近、上述の発信電話番号通知サービスを悪用し、発呼者が通信費用を負担することなく、営業目的で電話番号を被呼者に通知するために、被呼者が電話を取る前に呼出しを中断するいわゆるワンギリという迷惑電話が横行し、社会的問題となっている。
上述のワンギリがなされた電話機のユーザは、気になって着信履歴として表示された電話番号に発呼すると、「ツーショットダイヤル」の受付電話や「出会い系サイト」などの情報案内に接続し、無駄な通信費用が発生する。
【０００４】
また、電話機が一般回線電話である場合、ダイアルＱ２などの有料情報サービスへの接続が可能なため、通知された電話番号がこのダイアルＱ２の電話番号であった場合、ユーザがこの電話番号にかけ直すことにより、電話料金以外に情報提供料が加算され費用請求されることとなる。
また、図８に示すように、このようなワンギリは、昼夜を問わずなされ、深夜に着呼することもあり、緊急の事態に備えて常に受信可能となっている電話機においては、ユーザの安眠妨害となる場合もある。
【０００５】
このようなワンギリによる被害を避けるために、ワンギリがなされた場合、ユーザは、この着呼を無視し、電話をかけ直さなければよいのであるが、着信履歴として残された電話番号のうち、どれがワンギリによるものなのかを判別することは困難である。
特に、電話機の近くにユーザがいなかった場合、ユーザは、どのくらいの時間、呼出しがなされていたのかを知ることはできず、着信履歴に残された電話番号がワンギリによるものなのかを判別することはできない。
【０００６】
このように、従来の電話機では、上述のワンギリによる被害を回避し難いという問題がある。
そこで本発明は、上記問題点に鑑みてなされたものであり、いわゆるワンギリの被害に遭い難い電話機を提供することを目的とする。
また、上述の目的を達成するために接続を拒否すべき電話番号を登録する電話番号登録方法を提供することを目的とする。
【課題を解決するための手段】
【０００７】
上記目的を達成するために、本発明に係る電話機は、記録媒体と、着呼に伴い発呼者の電話番号を取得する取得手段と、前記着呼に際し、呼出の開始から呼出が中止されるまでの時間が所定時間未満か否かを判断する判断手段と、前記時間が所定時間未満であると判断された場合、取得した前記電話番号を次回より呼の接続を拒否する拒否電話番号として前記記録媒体に格納する第１格納手段とを備えることを特徴とし、又は、記録媒体と、着呼に伴い発呼者の電話番号を取得する取得手段と、前記着呼に際し呼出の開始から呼出が中止されるまでの時間を検出する時間検出手段と、前記着呼に伴い検出された前記時間と取得された前記電話番号との組を着信履歴として前記記録媒体に格納する格納手段とを備えることを特徴とする。
【０００８】
また、上記目的を達成するために本発明に係る電話番号登録方法は、記録媒体を備える電話機において、着呼時に呼の接続を拒否する電話番号として登録する電話番号登録方法であって、着呼に伴い発呼者の電話番号を取得する取得ステップと、前記着呼に際し呼出の開始から呼出が中止されるまでの時間が所定時間未満か否かを判断する判断ステップと、前記時間が所定時間未満であると判断された場合、取得した前記電話番号を次回より呼の接続を拒否する拒否電話番号として前記記録媒体に格納する格納ステップとを含むことを特徴とする。
【発明の効果】
【０００９】
上記構成により、前記呼出の時間が所定時間未満である場合、前記発呼者の電話番号は、次回より呼の接続を拒否する拒否電話番号として前記記録媒体に格納されるので、次回の着呼分から呼の接続を拒否し得る。
また、前記電話機は、さらに、着呼に伴い取得した発呼者の電話番号と前記記録媒体に格納されている前記拒否電話番号とが一致する場合、呼の接続を拒否するための処理を実行する接続拒否手段を備えることを特徴とする。
【００１０】
これにより、呼出の時間が所定時間未満であった電話番号の発呼者からの着呼については、次回より呼の接続が拒否される。
つまり、前記発呼者によりワンギリがなされても次回の着呼分から呼の接続が拒否される。
また、前記電話機は、さらに、着呼に伴い取得された発呼者の電話番号を表示する表示手段と、拒否電話番号として前記格納がなされた電話番号について、前記表示を抑止する表示抑止手段とを備えるとしてもよい。
【００１１】
これにより、前記呼出の時間が所定時間未満である場合、前記発呼者の電話番号は表示されない。
つまり、操作者は、前記表示手段により、ワンギリがなされたと思われるこの電話番号を確認することができないため、この電話番号にかけ直すことが困難となる。
また、前記第１格納手段は、次回より呼の接続を拒否することを示すフラグ情報を着呼に伴い取得された前記電話番号に付することにより前記拒否電話番号とするとしてもよい。
【００１２】
これにより、前記フラグ情報にもとづいて呼の接続を拒否するか否かが判断され得る。
また、前記電話機は、さらに、前記フラグ情報が付されていない電話番号を前記記録媒体に格納する第２格納手段を備え、前記第１格納手段は、着呼に伴って取得された発呼者の電話番号が、既に前記記録媒体に格納されていない場合に限り、前記格納を実施するとしてもよい。
【００１３】
これにより、一旦、電話番号に付されたフラグ情報は、次回以降における着呼時における前記時間の如何に関わらず維持される。
つまり、操作者が接続拒否を望まない電話番号として当該電話番号にフラグ情報を付さずに格納することにより、この電話番号の発呼者が、発呼後直ぐに電話を切ってしまい、前記時間が所定時間未満となった場合であっても、この発呼者からの着呼について、以降の呼の接続が拒否されることが回避される。
【００１４】
また、前記電話機は、さらに、操作者からフラグ情報の抹消の対象とする電話番号の指定を受け付ける抹消受付手段と、電話番号の前記指定が受け付けられたとき、前記記録媒体に格納されている指定された電話番号に付されているフラグ情報を抹消する抹消手段とを備えるとしてもよい。
これにより、拒否電話番号からの着呼であっても、操作者からの指示により呼の接続が可能となる。
【００１５】
また、前記電話機は、さらに、前記呼出がなされている間、音声の出力、振動又は発光することにより前記呼出がなされていることを操作者に通知する呼出通知手段と、前記所定時間内における前記通知を抑止する呼出通知抑止手段とを備えるとしてもよい。
これにより、着呼において、前記所定時間内の呼出しの通知が抑止される。
即ち、ワンギリなどの短い呼出しの際には、呼出しがなされていることが操作者に通知されないままとなり、操作者は、無駄な呼出の影響を受けないで済む。
【００１６】
また、前記電話機は、さらに、前記第１格納手段により前記格納がなされたとき、前記格納がなされた旨を操作者に通知する格納通知手段を備えるとしてもよい。
これにより、操作者により拒否電話番号の格納がなされたことが認識される。
また、前記格納通知手段は、前記旨と共に、格納した前記拒否電話番号を表示するとしてもよい。
【００１７】
これにより、操作者が知らないうちに、拒否電話番号として格納されることが回避される。
つまり、操作者が拒否電話番号として格納される電話番号を確認することができ、誤った格納がなされても、それに気づく機会が操作者に与えられる。
また、前記電話機は、さらに、操作者からの指示を受け付ける指示受付手段と、前記第１格納手段による前記格納の対象となる電話番号を表示する表示手段と、前記第１格納手段による前記格納に先行して、前記格納の実行可否を操作者に問い合わせる格納可否問い合わせ手段とを備え、前記第１格納手段は、前記指示受付手段より前記格納を実行する指示が受け付けられた場合に限り、前記格納を実行するとしてもよい。
【００１８】
これにより、前記第１格納手段による前記格納は、最終的には、操作者の判断により実施される。
つまり、誤って拒否電話番号として格納されることが回避し易くなる。
また、前記電話機は、さらに、前記指示受付手段において前記記録媒体に格納された前記拒否電話番号にもとづいて発呼を実行する指示が受け付けられたとき、当該発呼に先行して、操作者に発呼の実行可否を問い合わせる発呼可否問い合わせ手段と、発呼の実行可否の問い合わせがなされた結果得られた指示が、発呼の実行指示であった場合に限り、前記拒否電話番号にもとづいて発呼を実行する発呼手段とを備えるとしてもよい。
【００１９】
これにより、拒否電話番号にもとづいて発呼する場合、操作者に発呼するか否かを事前に問い合わせるので、不用意に発呼されることが回避される。
また、本発明に係る電話機は、記録媒体と、着呼に伴い発呼者の電話番号を取得する取得手段と、取得した電話番号を呼の接続を拒否する拒否電話番号として登録する拒否電話番号登録手段と、
前記着呼に伴い、取得した電話番号が前記拒否電話番として登録されているか否かを判断し、前記登録がされていないとき、検出された前記時間と取得された前記電話番号との組を着信履歴として前記記録媒体に格納する格納手段とを備えることを特徴とする。
【００２０】
これにより、着呼に伴い取された電話番号と前記時間とが合わせて表示される。
つまり、操作者は、表示された前記時間をワンギリがなされたか否かを判断するための情報として活用することができる。
【発明を実施するための最良の形態】
【００２１】
＜実施形態＞
図１は、本発明の実施の形態における移動局１００の外観図である。
移動局１００は、着呼の際に発呼者の電話番号が被呼者に通知されるいわゆる発信電話番号通知サービスを利用可能な携帯電話機であって、音声、画像及びＥメール等のデータを無線で通信する装置である。
【００２２】
着呼に伴い取得された電話番号、即ち、着信履歴、電子メールの内容及びユーザにより登録された電話番号の一覧などは、図中の表示部１０４に表示される。
図２は、本発明の実施の形態における移動局１００の機能ブロック図である。
移動局１００は、アンテナ部１０１と、送受信部１０２と、一般制御部１０３と、表示部１０４と、カウント部１０５と、照合部１０６と、ワンギリ判定部１０７と、記憶部１０８と、音声出力部１０９と、音声入力部１１０と、操作部１１１とを有する。
【００２３】
操作部１１１は、電話番号及びＥメール等の文字列を入力するためのテンキー等からなり、これらキーにより入力された電話番号等の入力情報を一般制御部１０３に出力する。
また、操作部１１１は、電話をかける毎に電話番号を入力する手間を省くために、予め氏名や電話番号などを登録しておくいわゆる電話帖登録を行うための氏名及び電話番号の入力を受け付け、受け付けたの氏名及び電話番号を一般制御部１０３に出力する。
【００２４】
さらに、操作部１１１は、ワンギリであること判断するために用いるワンギリしきい値の入力及びワンギリか否かを判定するまでリンガーを起動させるか否かを示すリンガー設定フラグの値の入力を受け付ける。
ここで、ワンギリしきい値とは、ワンギリが行われる際に実施される呼出の時間を秒数で示した値のことであり、このワンギリしきい値に示される秒数以下で、呼出しが中断した場合には、ワンギリと判定されることとなる。
【００２５】
また、リンガー設定フラグの値とは、着呼した場合に上述のワンギリの判定がなされるまで、リンガーを鳴らさないようにするか否かを決めるためのフラグの値であり、ユーザは、リンガーを鳴らさないように設定したい場合は、リンガー設定フラグの値を「１」として入力し、また、着呼したときに最初からリンガーを鳴らすように設定したい場合は、リンガー設定フラグの値を「０」として入力する。
【００２６】
音声入力部１１０は、マイクロフォン等の音声入力装置であり、入力された音声を一般制御部１０３に出力する。
カウント部１０５は、一般制御部１０３から出力される信号の受信したときから、０を初期値として１秒ごとに１カウントアップし、カウントアップする毎に、そのカウント値をワンギリ判定部１０７に通知する機能を有する。
【００２７】
一般制御部１０３は、無線電話として一般的な処理を制御するＤＳＰ（Ｄｉｇｉｔａｌ  Ｓｉｇｎａｌ  Ｐｒｏｃｅｓｓｏｒ）等からなり、発呼時において、以下の処理を実行する機能を有する。
即ち、一般制御部１０３は、操作部１１１より、発呼先の電話番号が受け付けられ、さらに、接続許可指示が受け付けられたとき、発呼して呼を確立するための処理を実施する。
【００２８】
また、操作部１１１において呼の切断指示が受け付けられたとき、呼を切断するための処理を実施する。
これらの処理は、公知技術であるため、詳細な説明については省略する。
また、一般制御部１０３は、操作部１１１より、記憶部１０８に格納されている電話番号のうち、発呼先の電話番号の指定が受け付けられると、当該電話番号に付されたワンギリフラグの値を参照し、この値が「１」の場合、「この電話番号は、ワンギリの電話番号の可能性があります。本当に電話をかけますか？」というメッセージ文を表示部１０４に表示させる。
【００２９】
上述のメッセージを表示させた後、一般制御部１０３は、操作部１１１において発呼する指示が受け付けられたか否かを判断し、発呼指示が受け付けられた場合、この電話番号にもとづいて発呼し、呼を確立するための処理を実施する。
一方、発呼を取り止める指示が受け付けられた場合、一般制御部１０３は、発呼をせず、他の発呼及び着呼を待ち受ける。
【００３０】
一般制御部１０３は、さらに、着呼時において、以下の処理を実施する機能を有する。
即ち、一般制御部１０３は、着呼に伴って到来する発呼者の電話番号（以下、「発呼者電話番号」という。）を取得し、取得した発呼者電話番号を直ちに照合部１０６に出力する。
また、一般制御部１０３は、着呼後、呼の接続がなされる前に基地局からの呼接続の要求が終了したとき、呼出し中断通知をワンギリ判定部１０７に出力する。
【００３１】
さらに、上述の発呼者電話番号を照合部１０６に出力した結果得られるワンギリ判定部１０７からの指示にもとづいて、以下の２つの処理を実施する。
ワンギリ判定部１０７から接続許可指示を受け取ったとき、一般制御部１０３は、通常の着呼における処理を実施する。
つまり、一般制御部１０３は、操作部１１１から接続許可指示がなされたとき、呼を確立するための処理を開始する。
【００３２】
一方、ワンギリ判定部１０７から接続拒否指示を受け取ったとき、一般制御部１０３は、呼の接続を拒否する処理を実施すると共に、着呼に伴い取得した発呼者電話番号を着信履歴として表示部１０４に表示させないようにする。
上述の呼の接続を拒否する処理とは、具体的には、呼接続を要求する基地局に対し、呼接続を拒否する旨を通知することである。
【００３３】
その結果、上述の基地局は、接続処理を中止する。
着呼時において、一般制御部１０３は、記憶部１０８に格納されているリンガー設定フラグの値が「１」のとき、操作部１１１からリンガー起動指示を受け取るまで、リンガーの起動を保留する。
より具体的には、リンガーの起動を保留する場合、一般制御部１０３は、着信音を鳴らすための信号を音声出力部１０９に出力することを保留する。
【００３４】
また、一般制御部１０３は、操作部１１１から、ワンギリしきい値及びリンガー設定フラグの値を受け取った場合、記憶部１０８に格納されている既存のワンギリしきい値及びリンガー設定フラグの値に上書きする。
さらに、一般制御部１０３は、ワンギリ判定部１０７からの指示にもとづいて、着呼に伴い取得した発呼者電話番号にワンギリ判定部１０７が指示したワンギリフラグの値を付して記憶部１０８に格納する。
【００３５】
また、ワンギリ判定部１０７より、着呼に伴い取得された発呼者電話番号に「１」の値のワンギリフラグを付して記憶部１０８に格納するよう指示を受けた場合、一般制御部１０３は、この電話番号を着信履歴として表示部１０４に表示させないようにする。
以上は、一般制御部１０３における発呼時及び着呼時の処理である。
また、一般制御部１０３は、待ち受け時において、いわゆる電話帖登録を行うための氏名及び電話帖を操作部１１１から受け取ると、この氏名及び電話番号を記憶部１０８に格納する。
【００３６】
このとき、一般制御部１０３は、上述の電話番号にワンギリフラグの値「０」を付す。
送受信部１０２は、フィルタ、アンプ等を含む無線信号を送受信する無線回路であり、一般制御部１０３からの指示にしたがい、音声、画像及び文字等の通信データを無線で送信し、また、外部から到来する通信データを受信して、一般制御部１０３に出力する。
アンテナ部１０１は、受信用のホイップアンテナである。
【００３７】
音声出力部１０９は、圧電素子等からなるスピーカであり、一般制御部１０３から受け取った信号にしたがい音声を出力する。
つまり、一般制御部１０３から着信音を鳴らすための信号を受信したとき、音声出力部１０９は、ベルやメロディなどの呼出音を出力し、音声信号を受信した場合には、この被呼者及び発呼者などの音声を出力する。
【００３８】
表示部１０４は、有機ＥＬ（Electro Luminescence）ディスプレイなどであり、一般制御部１０３から受け取った信号にしたがい文字及び画像を表示する機能を有する。
記憶部１０８は、不揮発性メモリ等の記録媒体からなり、一般制御部１０３から出力されるデータなどを記録する。
また、記憶部１０８は、リンガー設定フラグの値のデフォルト値として「０」及びワンギリしきい値のデフォルト値として「３」をそれぞれ記憶している。
【００３９】
照合部１０６は、一般制御部１０３から発呼者電話番号を受け取った場合、記憶部１０８に記録された電話番号を参照し、発呼者電話番号と一致する電話番号が含まれるかどうかを判断し、一致する電話番号がない場合、不一致信号をワンギリ判定部１０７に出力する。
一方、一致する電話番号がある場合、照合部１０６は、一致信号とその電話番号に付されているワンギリフラグの値との組をワンギリ判定部１０７に出力する。
【００４０】
ワンギリ判定部１０７は、カウント部１０５から出力される時間を受け取り、また、照合部１０６から一致信号とワンギリフラグの値との組又は不一致信号を受け取り、さらに、一般制御部１０３から呼出し中断通知を受け取り、以下の処理を実施する機能を有する。
一致信号とワンギリフラグの値「１」との組を受け取ったとき、ワンギリ判定部１０７は、接続拒否指示を一般制御部１０３に出力すると共に、カウント部１０５にカウントアップを終了するように指示する。
【００４１】
一方、一致信号とワンギリフラグの値「０」との組を受け取ったとき、ワンギリ判定部１０７は、接続許可指示を一般制御部１０３に出力すると共に、カウント部１０５にカウントアップを終了するように指示する。
さらに、不一致信号を受け取ったとき、ワンギリ判定部１０７は、接続許可指示を一般制御部１０３に出力すると共に、記憶部１０８内に格納されているワンギリしきい値を参照し、カウント部１０５から受け取ったカウント値がこのワンギリしきい値以上となる前に、一般制御部１０３から呼出し中断通知を受け取ったか否かを判断し、呼出し中断通知を受け取ったとき、この中断された着呼に伴って取得された発呼者電話番号に「１」の値のワンギリフラグを付して記憶部１０８に格納するよう、一般制御部１０３に指示し、さらに、カウント部１０５にカウントアップを終了するように指示する。
【００４２】
一方、カウント部１０５から受け取ったカウント値がこのワンギリしきい値以上となるまでに、一般制御部１０３から呼出し中断通知を受け取っていないとき、ワンギリ判定部１０７は、着呼に伴って取得された発呼者電話番号に「０」の値のワンギリフラグを付して記憶部１０８に格納するよう、一般制御部１０３に指示し、さらに、カウント部１０５にカウントアップを終了するように指示する。
＜データ＞  
以下、上述のように構成された移動局１００において用いられるデータについて説明する。
【００４３】
図３は、記憶部１０８に格納されているテーブル３００の論理的構成を示す図である。
番号列３０１は、１から９９９までの番号が順に示され、氏名列３０２は、氏名が示され、電話番号列３０３は、左欄の氏名に対応する電話番号が示され、ワンギリフラグ列３０４は、ワンギリフラグの値が示されている。
＜動作＞
図４は、着呼時においてワンギリを検出し、この着呼に伴って取得された電話番号をワンギリの電話番号として登録する処理のフローチャートである。
【００４４】
送受信部１０２は、着呼に際し、発呼者の電話番号を含む呼接続を行うために必要な予備的なデータを受信し（ステップＳ４０１）、このデータを一般制御部１０３に出力する。
上述のデータを受け取ると、一般制御部１０３は、着呼があったことをカウント部１０５、ワンギリ判定部１０７及び照合部１０６に通知する。
【００４５】
この通知に伴い、ワンギリ判定部１０７は，変数Ｆの値を０にし、また、変数Ｋの値を０にすると共に、カウント部１０５は、ｔの値を０に設定し（ステップＳ４０２）、さらに、カウント部１０５は、カウントアップを開始する（ステップＳ４０３）。
照合部１０６は、着呼の通知に伴い、一般制御部１０３からこの着呼に伴って取得された発呼者の電話番号を合わせて受け取り（ステップＳ４０４）、この電話番号と記憶部１０８に既に格納されている電話番号とを照合し（ステップＳ４０５）、一致するものがあるか否かを判断し（ステップＳ４０６）、一致するものがある場合、電話番号に付されたワンギリフラグの値が「１」か否かを判断し（ステップＳ４０７）、一致する場合、接続を拒否するように一般制御部１０３に指示する（ステップＳ４０８）。
【００４６】
その結果、一般制御部１０３は、基地局に対して接続を拒否するよう要求するため、接続が取り止められる。
そして、一般制御部１０３は、着信を拒否したメッセージ文を表示部１０４に表示させ（ステップＳ４０９）、処理を終了する。
電話番号に付されたワンギリフラグの値が「１」か否かを判断するステップＳ４０６において、このワンギリフラグの値が「１」以外であった場合、照合部１０６は、変数Ｋの値を「１」とする（ステップＳ４１０）。
【００４７】
そして、ワンギリ判定部１０７は、カウント部１０５から出力されるカウント値ｔ、ワンギリしきい値ｔ０、変数Ｆとの関係がｔ≧（ｔ０×Ｆ）となっているか否かを判断する（ステップＳ４１１）。
一方、着呼に伴い取得した発呼者電話番号と記憶部１０８に既に格納されている電話番号とに一致するものがあるか否かを判断するステップＳ４０６において、一致する電話番号がない場合、その旨をワンギリ判定部１０７に通知する。
【００４８】
そして、ワンギリ判定部１０７は、リンガー設定フラグの値が「０」となっているか否かを判断し（ステップＳ４１２）、リンガー設定フラグの値が「０」の場合、上述のｔ≧（ｔ０×Ｆ）となっているか否かを判断するステップＳ４１１を実施する。
一方、リンガー設定フラグの値が「０」でない場合、ワンギリ判定部１０７は、変数Ｆの値を１とし（ステップＳ４１３）、上述のｔ≧（ｔ０×Ｆ）となっているか否かを判断するステップＳ４１１を実施する。
【００４９】
ｔ≧（ｔ０×Ｆ）となっているか否かを判断するステップＳ４１１において、このような関係に当てはまる場合、ワンギリ判定部１０７は、一般制御部１０３にリンガー起動指示を通知し（ステップＳ４１４）、通話ボタンが押下されたか否かを判断する（ステップＳ４１５）。
一方、このような関係に当てはまらない場合、ワンギリ判定部１０７は、通話ボタンが押下されたか否かを判断する（ステップＳ４１５）。
【００５０】
通話ボタンが押下されたか否かを判断するステップＳ４１５において、通話ボタンが押下されたと判断した場合、ワンギリ判定部１０７は、一般制御部１０３に接続許可指示を通知する。
その結果、一般制御部１０３は、呼を接続するための処理を実行する（ステップＳ４１６）。
【００５１】
一方、通話ボタンが押下されていないと判断した場合、ワンギリ判定部１０７は、現在、基地局からの呼接続の要求が中断されているか否かを判定し（ステップＳ４１７）、中断されていない場合、変数Ｆとの関係がｔ≧（ｔ０×Ｆ）となっているか否かを判断するステップＳ４１１に戻る。
一方、基地局からの呼接続の要求が中断されている場合、ワンギリ判定部１０７は、カウント部１０５にカウントアップを終了するように指示する（ステップＳ４１８）。
【００５２】
その結果、カウント部１０５は、カウントアップを終了する。
そして、ワンギリ判定部１０７は、変数Ｋの値が「１」以外であるか否かを判断し（ステップＳ４１９）、変数Ｋの値が「１」以外の場合、処理を終了する。
一方、変数Ｋの値が「１」である場合は、ｔ≦ｔ０であるか否かを判断し（ステップＳ４２０）、このような関係に当てはまる場合、ワンギリ判定部１０７は、一般制御部１０３に着呼に伴い取得した発呼者電話番号に「１」の値のワンギリフラグを付して記憶部１０８に格納するよう、一般制御部１０３に指示し（ステップＳ４２１）、処理を終了する。
【００５３】
一方、ｔ≦ｔ０であるか否かを判断するステップＳ４２０において、このような関係に当てはまらない場合、ワンギリ判定部１０７は、処理を終了する。
＜表示＞
図５は、図４のステップＳ４０９において、表示部１０４に表示される、接続を拒否したメッセージ文の一例を示す図である。
【００５４】
着信拒否が実施されると、一般制御部１０３は、着呼があっても、発呼者番号を取得して直ちに、基地局に対し、呼接続を中止するように依頼するので、呼出し動作が行われない。
このとき、一般制御部１０３は、表示部１０４に発呼者電話番号を表示させない。
このため、ユーザは、このような着呼に何ら影響を受けず、表示部１０４を見たときに初めて、接続拒否が実施されたことを認識するに過ぎない。
【００５５】
したがって、ユーザは、誤ってこの電話番号にかけ直すことがない。
ところで、図３において、テーブル３００は、「１」の値のワンギリフラグが付された電話番号も、「０」の値のワンギリフラグが付された電話番号も同一のテーブルに格納されているものの、いわゆる電話帖として表示する際、一般制御部１０３は、通常の表示操作において「０」の値のワンギリフラグが付された電話番号についてのみを表示部１０４に表示させる。
【００５６】
ただし、所定の操作が実施されることにより、一般制御部１０３は、「１」の値のワンギリフラグが付された電話番号も表示部１０４に表示させる。
このようにするのは、例えば、友人の携帯電話の電話番号を登録するために、ワンギリと同じ状況となる短い呼出し時間内で発呼する場合など、ワンギリがなされたと判断された電話番号の電話帖への登録及び発呼を望むユーザがいるとも限らないためである。
【００５７】
図６は、「１」の値のワンギリフラグが付された電話番号、即ち、ワンギリの電話番号にもとづいて発呼する場合、発呼に先行して、ユーザに再確認するためのメッセージを表示する場合の一例を示す図である。
以上のように、本実施形態によれば、移動局１００は、ワンギリがなされたか否かを判定し、ワンギリがなされたと判断した場合、次回の着呼分から接続を拒否する電話番号として登録するので、次回の着呼分からワンギリがなされても着信履歴としてこの電話番号が表示されることも、呼出しが行われることもない。
【００５８】
つまり、次回より、ユーザがこの電話番号にかけ直したり、電話の呼出音に迷惑を感じたりすることが避けられる。
また、最初にワンギリがなされたとき、着信履歴として電話番号が表示されず、さらに、リンガー設定フラグの値を「１」に設定すれば、設定された時間中は呼出しが行われない。
【００５９】
そのため、上記と同様にユーザがこの電話番号にかけ直したり、電話の呼出音に迷惑を感じることがない。
なお、本発明の実施の形態では、携帯電話などの移動局を例に挙げて説明したが、これに限らず、一般回線電話であってもよい。
また、本実施の形態では、ワンギリがなされたとして、一旦登録されてしまった電話番号について、登録後の処理については説明していないが、ユーザ指示により、この電話番号をワンギリではない通常の電話番号として登録し直すことができるとしてもよい。
【００６０】
その場合、一般制御部１０３は、操作部１１１により受け付けられた指示にもとづいて、この電話番号に付されたワンギリフラグの値「１」を「０」に変更することとなる。
また、本実施の形態では、着呼に伴って取得された発呼者電話番号に「１」の値のワンギリフラグを付して記憶部１０８に格納するよう指示を受けた場合、一般制御部１０３は、この電話番号を着信履歴として表示部１０４に表示させないようにするとしたが、着信履歴としてワンギリがなされたと判断した旨と共に、この番号を表示してもよい。
【００６１】
図７は、このような場合における、表示部１０４における着信履歴の表示例を示す図である。
また、移動局１００は、音声出力部１０９による呼出音の出力に伴い、点灯又は点滅する照明部を有していてもよく、また、音声出力部１０９による呼出音の出力に伴い、振動する振動部を有していてもよい。
【００６２】
これらは、呼出がなされていることをユーザに認識させるものであるが、リンガーの起動が保留され、呼出しがなさない場合においては、照明部も、点灯又は点滅を実施せず、また、振動部も振動しないので、ユーザに着呼を気づかせない。
なお、本実施の形態では、接続の拒否を行う際、着呼があった時点で、移動局１００が基地局に対して接続の拒否を通知していたが、着呼に伴い取得された発呼者電話番号に「１」の値のワンギリフラグを付して記憶部１０８に格納する際、基地局に対して、以後、この電話番号の電話機からの接続を取り止めるように依頼してもよい。
【００６３】
その場合、この電話番号について、それ以降の着呼すらなされないこととなる。
また、本実施の形態では、移動局１００が着呼毎にワンギリか否かを判断しているが、着信履歴として記憶した電話番号に、この電話番号が取得された着呼時における呼出時間を対応づけて記憶し、電話番号と呼出し時間とを合わせて表示することにより、ワンギリであるか否かをユーザが後から判断するとしてもよい。
【００６４】
また、本実施の形態では、ワンギリか否かの判断するパラメータとして、呼出しが行われた時間を用いているが、ベル音などの断続的な音を出力する場合、その数をカウントして判断してもよい。
【産業上の利用可能性】
【００６５】
本発明に係る電話機は、移動端末や固定電話などに適用可能である。
【図面の簡単な説明】
【００６６】
【図１】本発明の実施の形態における移動局の外観図である。
【図２】本発明の実施の形態における移動局の機能ブロック図である。
【図３】記録部に格納されているテーブルの論理的構成を示す図である。
【図４】着呼時においてワンギリを検出し、この着呼に伴って取得された電話番号をワンギリの電話番号として登録する処理のフローチャートである。
【図５】図４のステップＳ４０９において、表示部に表示される、接続を拒否したメッセージ文の一例を示す図である。
【図６】ワンギリの電話番号にもとづいて発呼する場合、発呼に先行して、ユーザに再確認するためのメッセージを表示する場合の一例を示す図である。
【図７】ワンギリの電話番号として登録する際、この電話番号とワンギリであると判断した旨とを表示部に表示する図である。
【図８】ワンギリがなされている状況を説明する図である。
【符号の説明】
【００６７】
１００    移動局
１０１    アンテナ部
１０２    送受信部
１０３    一般制御部
１０４    表示部
１０５    カウント部
１０６    照合部
１０７    ワンギリ判定部
１０８    記憶部
１０９    音声出力部
１１０    音声入力部
１１１    操作部
【図１】
2006345559.tif 000003
【図２】
2006345559.tif 000004
【図３】
2006345559.tif 000005
【図４】
2006345559.tif 000006
【図５】
2006345559.tif 000007
【図６】
2006345559.tif 000008
【図７】
2006345559.tif 000009
【図８】
2006345559.tif 000010